(57)【特許請求の範囲】
【請求項１】
水を貯えるタンクと、このタンク内の水を気化してスチームを発生させる気化室と、前記タンク内の水を前記気化室に供給する給水装置と、前記気化室で発生したスチームを噴出するスチーム噴出口を有したスチーム噴出部と、前記スチーム噴出部に装着する仕上げ部とを具備し、前記仕上げ部は、前記スチーム噴出口を覆う第１の装着位置と、前記スチーム噴出口を露出させる第２の装着位置とを選択可能にしたスチーム噴出器。
【請求項２】
仕上げ部は、スチーム噴出部に対して着脱自在に構成した請求項１記載のスチーム噴出器。
【請求項３】
仕上げ部は、スチーム噴出部に対して回動自在に構成した請求項１記載のスチーム噴出器。
【請求項４】
仕上げ部は、スチーム噴出部に対して摺動自在に構成した請求項１記載のスチーム噴出器。
【請求項５】
仕上げ部は、スチーム噴出口と対向する位置に切欠部を設けた請求項１〜４のいずれか１項に記載のスチームアイロン。
【請求項６】
スチーム噴出口は、スチーム噴出部に偏って配設した請求項１〜５のいずれか１項に記載のスチーム噴出器。
【請求項７】
水を貯えるタンクと、このタンク内の水を気化してスチームを発生させる気化室と、前記タンク内の水を前記気化室に供給する給水装置と、前記気化室で発生したスチームを噴出するスチーム噴出口を有したスチーム噴出部と、前記スチーム噴出部に着脱自在な仕上げ部とを具備し、前記仕上げ部は、前記スチーム噴出口を覆う第１の仕上げ部と、前記スチーム噴出口を露出させる第２の仕上げ部とを選択的に装着するようにしたスチーム噴出器。
【請求項８】
仕上げ部は、スチーム透過性の発泡体または繊維体、または、これらの組み合わせにより構成した請求項１〜７のいずれか１項に記載のスチーム噴出器。
【発明の詳細な説明】
【０００１】
【発明の属する技術分野】
本発明は、衣類等のしわ伸ばしを行なうために使用されるスチーム噴出器に関するものである。
【０００２】
【従来の技術】
従来、この種のスチーム噴出器は、図１３に示すような構成をしていた。以下、その構成について説明する。図に示すように、１は気化室２を有する本体で、前記気化室２に供給する水を貯えるタンク３と、このタンク３内の水を水路４を通して気化室２へ供給するポンプ装置５を有している。気化室２で発生したスチームは、スチーム噴出部６に設けたスチーム噴出孔７から衣類等に向けて噴出させ、しわ伸ばしを行うものである。
【０００３】
スチーム噴出部６は、耐熱性樹脂等の硬質材料で形成され、その周囲にはスチーム噴出孔７を囲むようにブラシ８を環状に設けている。このブラシ８は、スチームで衣類等のしわを伸ばす際に、糸くず等の付着物を取り除くことができるようにしたものであり、本体１の一端にはタンク３を内蔵した把手９が設けられている。そして、気化室２に埋設したヒータ１０に通電するための電源コード１１は、タンク３を内蔵した把手９の後部より導出している。
【０００４】
【発明が解決しようとする課題】
しかし、このような従来の構造のものでは、アイロンのように衣類等をプレスすることなく、衣類等に向かってスチームを噴出することにより、繊維にスチームを浸透させてしわ伸ばしを行うもので、ブラッシングを行いながら仕上げることができるが、スチームを当てるだけでは衣類等の形を整えながら効果的にしわを伸ばすことができないものであり、ブラシをスチーム噴出部の周縁に設けた構成では、ブラッシングを行った際の本体の移動方向への衣類等の引っ張り力が弱く、一方の手で把手を持って本体を保持し、ポンプ装置を動作させてスチームを噴出させる操作を行いながら、他方の手で衣類等の形を整える操作を行う必要があり、使い勝手が悪いという問題があった。
【０００５】
また、衣類の一部に強いスチームを集中して噴出させることにより、衣類の部分仕上げを良好に行うことができる反面、衣類の広い範囲をソフトに仕上げる場合は、衣類から離してスチームを噴出させるため、噴出したスチームを効率よく衣類に浸透させることが難しく、大気に発散してロスが多く、仕上がり効果が悪いという問題があった。
【０００６】
本発明は、上記のような従来の課題を解決するもので、用途や使い方に応じて効果的に衣類のしわ伸ばし作業が行える、使い勝手のよいスチーム噴出器を得ることを目的としている。
【０００７】
【課題を解決するための手段】
本発明は上記目的を達成するために、気化室で発生したスチームを噴出するスチーム噴出口を有したスチーム噴出部に装着する仕上げ部を有し、前記仕上げ部は、前記スチーム噴出口を覆う第１の装着位置と、前記スチーム噴出口を露出させる第２の装着位置とを選択可能にしたものである。
【０００８】
これにより、衣類と接触する仕上げ部により、スチームを噴出させながら衣類等の整形を容易にするとともに、衣類の広い範囲にスチームを効率よく浸透させてしわ伸ばし効果を高めることができる。また、仕上げ部の装着位置を選択することにより、衣類の一部に強いスチームを集中して噴出させて衣類の部分仕上げを良好に行うことができ、用途や使い方に応じて衣類のしわ伸ばし作業を効果的に行うことができる。
【０００９】
【発明の実施の形態】
本発明の請求項１に記載の発明は、水を貯えるタンクと、このタンク内の水を気化してスチームを発生させる気化室と、前記タンク内の水を前記気化室に供給する給水装置と、前記気化室で発生したスチームを噴出するスチーム噴出口を有したスチーム噴出部と、前記スチーム噴出部に装着する仕上げ部とを具備し、前記仕上げ部は、前記スチーム噴出口を覆う第１の装着位置と、前記スチーム噴出口を露出させる第２の装着位置とを選択可能にしたものであり、仕上げ部を軽く衣類に押し当てると、衣類の形状に沿った形で仕上げ部が変形し、仕上げ部の広い範囲が衣類に当接するようになる。そして、衣類とカバーとの摩擦が大きく衣類上を滑らせるだけで、衣類を引っ張る効果が得られる。したがって、衣類の広い範囲にスチームを効率よく浸透させながら衣類等の形を整えることができ、使い勝手をよくしてしわ伸ばし効果を高めることができる。また、衣類の一部に強いスチームを集中して噴出させて衣類の部分仕上げを良好に行うことができ、仕上げ部の装着位置を選択することにより、用途や使い方に応じて衣類のしわ伸ばし作業を効果的に行うことができる。
【００１０】
請求項２に記載の発明は、上記請求項１に記載の発明において、仕上げ部をスチーム噴出部に対して着脱自在に構成したものであり、仕上げ部をスチーム噴出口を覆う第１の装着位置と、スチーム噴出口を露出させる第２の装着位置とを容易に選択して装着することができる。
【００１１】
請求項３に記載の発明は、上記請求項１に記載の発明において、仕上げ部をスチーム噴出部に対して回動自在に構成したものであり、衣類との摩擦によって仕上げ部の変位を防止することができるとともに、第１の装着位置と、第２の装着位置とを容易に変更することができる。
【００１２】
請求項４に記載の発明は、上記請求項１に記載の発明において、仕上げ部をスチーム噴出部に対して摺動自在に構成したものであり、第１の装着位置と、第２の装着位置とを容易に変更することができる。
【００１３】
請求項５に記載の発明は、上記請求項１〜４に記載の発明において、仕上げ部は、スチーム噴出口と対向する位置に切欠部を設けたものであり、仕上げ部の広い範囲を衣類に当接させた状態で、衣類の一部に強いスチームを集中して噴出させながら衣類等の形を効率よく整えることができ、使い勝手をよくして、しわ伸ばし効果を高めることができる。
【００１４】
請求項６に記載の発明は、上記請求項１〜５に記載の発明において、スチーム噴出口をスチーム噴出部に偏って配設したものであり、切欠部を小さくし、かつ、仕上げ部の少ない変位操作でスチーム噴出口を仕上げ部から容易に露出させることができる。
【００１５】
請求項７に記載の発明は、水を貯えるタンクと、このタンク内の水を気化してスチームを発生させる気化室と、前記タンク内の水を前記気化室に供給する給水装置と、前記気化室で発生したスチームを噴出するスチーム噴出口を有したスチーム噴出部と、前記スチーム噴出部に着脱自在な仕上げ部とを具備し、前記仕上げ部は、前記スチーム噴出口を覆う第１の仕上げ部と、前記スチーム噴出口を露出させる第２の仕上げ部とを選択的に装着するようにしたものであり、衣類の広い範囲にスチームを効率よく浸透させながら衣類の形を整える作業と、強いスチームを集中して噴出させて衣類の部分仕上げ作業の両方を良好に行うことができる。
【００１６】
請求項８に記載の発明は、上記請求項１〜７に記載の発明において、仕上げ部は、スチーム透過性の発泡体または繊維体、または、これらの組み合わせにより構成したものであり、仕上げ部を衣類に押し当てると、衣類の形状に沿った形で仕上げ部が変形し、仕上げ部の広い範囲が衣類に当接するようになる。そして、衣類とカバーとの摩擦が大きく衣類上を滑らせるだけで、衣類を引っ張る効果が得られる。したがって、衣類の広い範囲にスチームを効率よく浸透させながら衣類等の形を整えることができ、使い勝手をよくして、しわ伸ばし効果を高めることができる。
【００１７】
【実施例】
以下、本発明の実施例について、図面を参照しながら説明する。
【００１８】
（実施例１）
図１〜図４に示すように、１２は埋設したヒータ１３によって加熱される気化室１４を有する本体で、前記気化室１４で発生したスチームを外部へ噴出するスチーム噴出口１５を有したスチーム噴出部１６と、タンク１７に貯えた水を気化室１４に供給するポンプ装置などで構成した給水装置１８を有している。
【００１９】
給水装置１８としてのポンプ装置は、シリンダ１９と、このシリンダ１９内を上下動するピストンを有した操作部２０と、タンク１７内の水を吸い込む吸水パイプ２１と、この吸水パイプ２１から吸水路２２を通してシリンダ１９内に吸引した水を吐出する吐出部２３を有し、この吐出部２３から吐出された水は気化室１４内に供給されてスチームが発生する。
【００２０】
２４はスチーム噴出部１６を覆って本体１２に着脱自在に設けた仕上げ部で、気化室１４で発生しスチーム噴出部１６のスチーム噴出口１５から噴出するスチームを透過させる発泡体または繊維体、または、これらの組み合わせにより構成したクッション体２５と、このクッション体２５の外面側を覆う布製のカバー２６と、このカバー２６を固着する樹脂製の保持体２７を有している。
【００２１】
仕上げ部２４は、図３に示すようにスチーム噴出口１５を覆う第１の装着位置と、図４に示すようにスチーム噴出口１５を露出させる第２の装着位置とを選択可能な構成にしている。スチーム噴出口１５はスチーム噴出部１６の前部に偏って配設してあり、また、スチーム噴出口１５を露出させる第２の装着位置に仕上げ部２４を構成したとき、スチーム噴出口１５を露出させる切欠部２８をスチーム噴出口１５に対向して仕上げ部２４に設けている。
【００２２】
上記構成において動作を説明すると、タンク１７内に水を入れて給水装置１８を動作させると、タンク１７内の水は、吸水パイプ２１からシリンダ１９内に吸引され、吐出部２３を通して気化室１４に供給される。ここで、仕上げ部２４をスチーム噴出口１５を覆う第１の装着位置にすると、気化室１４で発生したスチームは、スチーム噴出部１６のスチーム噴出口１５から仕上げ部２４のクッション体２５およびカバー２６を透過し、仕上げ部２４の広い範囲に拡散して噴出する。
【００２３】
したがって、本体１２に装着した仕上げ部２４を衣類に軽く押し当てた状態で移動させると、衣類と仕上げ部２４との摩擦抵抗により、衣類に引っ張り力を作用させることができ、スチーム噴出器を持つ手と逆の手で衣類を引っ張りながら作業する必要もなく、また、衣類等を熱で痛めることなくスチームを利用して衣類のしわ伸ばし効果を高めることができるとともに、当て布等を使用する不便さをなくして仕上げ作業を効率よく行うことができる。
【００２４】
また、仕上げ部２４をスチーム噴出口１５を露出させる第２の装着位置にすると、スチームは仕上げ部２４のクッション体２５およびカバー２６を通過することなく直接噴出させることができる。したがって、衣類の一部に強いスチームを集中して噴出させて衣類の部分仕上げを良好に行うことができ、仕上げ部２４の装着位置を選択することにより、用途や使い方に応じて衣類のしわ伸ばし作業を効果的に行うことができる。
【００２５】
（実施例２）
図５〜図７に示すように、仕上げ部２９をスチーム噴出部３０に対して回動自在に構成したものである。スチーム噴出部３０の略中央部に回動軸部３１が形成してあり、スプリング等のばね装置３２により、仕上げ部２９をスチーム噴出部３０側へ付勢している。仕上げ部２９は前後方向に長く形成してあり、その略中央部に回動軸部３１を設けるとともに、長手方向の一方の端にスチーム噴出口３３と対向する切欠部３４を設けている。他の構成は実施例１と同じである。
【００２６】
上記構成によれば、回動軸部３１を中心に仕上げ部２９を回転させることにより、スチーム噴出口３３を覆う第１の装着位置と、スチーム噴出口１５を露出させる第２の装着位置を容易に選択して切り替えることができる。
【００２７】
（実施例３）
図８〜図１０に示すように、仕上げ部３５をスチーム噴出部３６に対して摺動自在に構成したものである。スチーム噴出部３６の両側面に溝部３７を前後方向に形成し、この溝部３７に仕上げ部３５に設けた保持部３８を嵌合させている。仕上げ部３５は前後方向に長く形成してあり、その長手方向の一方の端にスチーム噴出口３９と対向する切欠部４０を設けている。他の構成は実施例１と同じである。
【００２８】
上記構成によれば、仕上げ部３５をスチーム噴出部３６に対して矢印イ方向へ摺動させることにより、スチーム噴出口３９を覆う第１の装着位置から、スチーム噴出口３９を露出させる第２の装着位置に容易に選択して切り替えることができる。
【００２９】
（実施例４）
図１１および図１２に示すように、スチーム噴出部４１に着脱自在に構成した仕上げ部４２は、スチーム噴出部４１に設けたスチーム噴出口４３を覆う第１の仕上げ部４２ａと、切欠部４４を有して前記スチーム噴出口４３を露出させる第２の仕上げ部４２ｂとを選択的に装着するようにしたものである。他の構成は実施例１と同じである。
【００３０】
上記構成によれば、スチーム噴出口４３を覆う第１の仕上げ部４２ａと、スチーム噴出口４３を露出させる第２の仕上げ部４２ｂを任意に選択してスチーム噴出部４１に着脱自在に装着できるようにしたものであり、衣類の広い範囲にスチームを効率よく浸透させながら衣類の形を整える作業と、強いスチームを集中して噴出させて衣類の部分仕上げ作業の両方を良好に行うことができる。
【００３１】
【発明の効果】
以上のように本発明の請求項１に記載の発明によれば、水を貯えるタンクと、このタンク内の水を気化してスチームを発生させる気化室と、前記タンク内の水を前記気化室に供給する給水装置と、前記気化室で発生したスチームを噴出するスチーム噴出口を有したスチーム噴出部と、前記スチーム噴出部に装着する仕上げ部とを具備し、前記仕上げ部は、前記スチーム噴出口を覆う第１の装着位置と、前記スチーム噴出口を露出させる第２の装着位置とを選択可能にしたから、衣類の広い範囲にスチームを効率よく浸透させて、しわ伸ばし効果を高めることができるとともに、衣類の一部に強いスチームを集中して噴出させて衣類の部分仕上げを良好に行うことができ、仕上げ部の装着位置を選択することにより、用途や使い方に応じて衣類のしわ伸ばし作業を効果的に行うことができる。
【００３２】
また、請求項２〜４に記載の発明によれば、仕上げ部をスチーム噴出口を覆う第１の装着位置と、スチーム噴出口を露出させる第２の装着位置との選択を容易に行うことができる。
【００３３】
また、請求項５に記載の発明によれば、仕上げ部は、スチーム噴出口と対向する位置に切欠部を設けたから、仕上げ部の広い範囲を衣類に当接させた状態で、衣類の一部に強いスチームを集中して噴出させながら衣類等の形を効率よく整えることができ、使い勝手をよくして、しわ伸ばし効果を高めることができる。
【００３４】
また、請求項６に記載の発明によれば、スチーム噴出口は、スチーム噴出部に偏って配設したから、仕上げ部の少ない変位操作でスチーム噴出口を仕上げ部から容易に露出させることができる。
【００３５】
また、請求項７に記載の発明によれば、水を貯えるタンクと、このタンク内の水を気化してスチームを発生させる気化室と、前記タンク内の水を前記気化室に供給する給水装置と、前記気化室で発生したスチームを噴出するスチーム噴出口を有したスチーム噴出部と、前記スチーム噴出部に着脱自在な仕上げ部とを具備し、前記仕上げ部は、前記スチーム噴出口を覆う第１の仕上げ部と、前記スチーム噴出口を露出させる第２の仕上げ部とを選択的に装着するようにしたから、衣類の広い範囲にスチームを効率よく浸透させてしわ伸ばし効果を高めることができるとともに、衣類の一部に強いスチームを集中して噴出させて衣類の部分仕上げを良好に行うことができ、仕上げ部を任意に選択して装着することにより、用途や使い方に応じて衣類のしわ伸ばし作業を効果的に行うことができる。
【００３６】
また、請求項８に記載の発明によれば、仕上げ部は、スチーム透過性の発泡体または繊維体、または、これらの組み合わせにより構成したから、衣類とカバーとの摩擦が大きく、仕上げ部の移動方向へ衣類に引っ張り力を加えることができるため、衣類の広い範囲にスチームを効率よく浸透させながら衣類等の形を整えることができ、使い勝手をよくして、しわ伸ばし効果を高めることができる。
【図面の簡単な説明】
【図１】本発明の実施例１のスチーム噴出器の要部断面図
【図２】同スチーム噴出器の仕上げ部の要部拡大断面図
【図３】同スチーム噴出器の仕上げ部を第１の装着位置とした下面図
【図４】同スチーム噴出器の仕上げ部を第２の装着位置とした下面図
【図５】本発明の実施例２のスチーム噴出器の要部断面図
【図６】同スチーム噴出器の仕上げ部を第１の装着位置とした下面図
【図７】同スチーム噴出器の仕上げ部を第２の装着位置とした下面図
【図８】本発明の実施例３のスチーム噴出器の要部断面図
【図９】同スチーム噴出器の仕上げ部を第１の装着位置とした下面図
【図１０】同スチーム噴出器の仕上げ部を第２の装着位置とした下面図
【図１１】本発明の実施例４のスチーム噴出器の第１の仕上げ部を装着した下面図
【図１２】同スチーム噴出器の第２の仕上げ部を装着した下面図
【図１３】従来のスチーム噴出器の断面図
【符号の説明】
１４  気化室
１５  スチーム噴出口
１６  スチーム噴出部
１７  タンク
１８  給水装置
２４  仕上げ部
【図１】
0003743322.tif 000002
【図２】
0003743322.tif 000003
【図３】
0003743322.tif 000004
【図４】
0003743322.tif 000005
【図５】
0003743322.tif 000006
【図６】
0003743322.tif 000007
【図７】
0003743322.tif 000008
【図８】
0003743322.tif 000009
【図９】
0003743322.tif 000010
【図１０】
0003743322.tif 000011
【図１１】
0003743322.tif 000012
【図１２】
0003743322.tif 000013
【図１３】
0003743322.tif 000014